(57)【要約】【課題】 従来の方法で問題となっていた誤差および誤検出を解消し、組付け精度を向上させることができるロータリエンコーダの回転スリット板組付け方法および装置を提供する。【解決手段】  ロータリエンコーダの回転スリット板組付け方法は、仮組みロータリエンコーダを少なくとも１周分回転させて振れおよび変位を計測するステップと、この少なくとも１周分の回転時の時間と振れ変位との関係をサンプリングするステップと、サンプリングによって得られたデータから振れの最大変位を求め、これより若干小さい値を閾値として設定するとともに、閾値を超える時間ΔＴを演算するステップと、仮組みロータリエンコーダをさらに回転させ、閾値を超えた後さらに時間ΔＴ／２経過した位置を最大変位位置とするステップとを含んでいる。【選択図】    図４
2007171106.tif 000002
【特許請求の範囲】
【請求項１】
回転スリット板を回転軸に偏心しないように組み付けるに際し、回転スリット板が仮置きされた仮組みロータリエンコーダを回転させて回転スリット板の振れの最大変位位置を求め、この最大変位位置が押し治具設置位置に来るように回転スリット板を停止させ、停止した回転スリット板を押し治具で径方向に押して振れを小さくし、これを繰り返すことで回転振れを規格値以下とするロータリエンコーダの回転スリット板組付け方法において、
仮組みロータリエンコーダを少なくとも１周分回転させて振れおよび変位を計測するステップと、この少なくとも１周分の回転時に振れの最大変位を求めこれより若干小さい値を閾値として設定するステップと、仮組みロータリエンコーダをさらに１周分回転させて、この間に閾値を超える時間ΔＴを計測するステップと、仮組みロータリエンコーダをさらに回転させて、閾値を超えた後さらに時間ΔＴ／２経過した位置を最大変位位置とするステップとを含んでいることを特徴とするロータリエンコーダの回転スリット板組付け方法。
【請求項２】
回転スリット板を回転軸に偏心しないように組み付けるに際し、回転スリット板が仮置きされた仮組みロータリエンコーダを回転させて回転スリット板の振れの最大変位位置を求め、この最大変位位置が押し治具設置位置に来るように回転スリット板を停止させ、停止した回転スリット板を押し治具で径方向に押して振れを小さくし、これを繰り返すことで回転振れを規格値以下とするロータリエンコーダの回転スリット板組付け方法において、
仮組みロータリエンコーダを少なくとも１周分回転させて振れおよび変位を計測するステップと、この少なくとも１周分の回転時の時間と振れ変位との関係をサンプリングするステップと、サンプリングによって得られたデータから振れの最大変位を求め、これより若干小さい値を閾値として設定するとともに、閾値を超える時間ΔＴを演算するステップと、仮組みロータリエンコーダをさらに回転させ、閾値を超えた後さらに時間ΔＴ／２経過した位置を最大変位位置とするステップとを含んでいることを特徴とするロータリエンコーダの回転スリット板組付け方法。
【請求項３】
回転スリット板が回転軸に仮置きされた仮組みロータリエンコーダを支持する支持部材と、回転軸を回転させる回転手段と、回転スリット板を径方向に押し込むための回転スリット板押し治具と、回転スリット板押し治具を移動させる押し治具移動手段と、回転スリット板の一定範囲を撮像する撮像装置と、回転手段および押し治具移動手段を制御する制御手段と、撮像装置で得られた画像を処理して回転スリット板の振れ変位を求め、振れ変位のデータに応じて撮像装置および制御手段に必要な信号を適宜出力するＣＰＵとを備えているロータリエンコーダの回転スリット板組み付け装置において、
振れの最大変位を求めこれより若干小さい値を閾値とするとともに閾値を超える時間ΔＴを求める閾値越え時間検出手段と、閾値を超えた後さらに時間ΔＴ／２経過した位置を停止位置とする停止位置決定手段とを備えていることを特徴とするロータリエンコーダの回転スリット板組み付け装置。
【請求項４】
仮組みロータリエンコーダを少なくとも１周分回転させた時の時間と振れ変位との関係をサンプリングするサンプリング手段をさらに備えており、閾値決定後に直前の波形から閾値を越える時間ΔＴが算出される請求項３のロータリエンコーダの回転スリット板組付け装置。
【発明の詳細な説明】
【技術分野】
【０００１】
この発明は、ロータリエンコーダを組み立てる際に使用される回転スリット板組付け方法および装置に関する。
【背景技術】
【０００２】
ロータリエンコーダの回転スリット板組付け工程においては、回転軸の回転中心に対し回転スリット板が偏心しないように精度よく位置決めして、回転時の振れを極少に抑える必要がある。そのための方法として、従来、大別して２つの方法が知られている。
【０００３】
第１の方法は、回転軸および回転スリット板の双方を静止させたまま、画像計測を行い、それぞれの形状から求めた幾何中心が一致するように位置決めするもので、第２の方法は、例えば特許文献１に記載されているように、回転軸に回転スリット板を仮置きして、実際に回転させながら回転振れが最小になるように位置調整するものである。
【０００４】
上記第２の方法における回転スリット板の位置調整は、より詳細には、パルスモータによって回転スリット板が仮置きされた仮組みロータリエンコーダを回転させ（回転ステップ）、固定したＣＣＤカメラで連続撮像される回転中の回転スリット板の真円パターン端部などを画像上で位置追跡しながら、振れおよび変位を計測し（振れ計測ステップ）、回転スリット板の振れの最大変位位置を求め（最大変位位置検出ステップ）、これを押し治具設置位置に停止させる位置とし（停止位置決定ステップ）、この最大変位位置が押し治具設置位置に来るように回転スリット板を停止させ（回転スリット板停止ステップ）、停止した回転スリット板を押し治具で振れ幅の１／２径方向に押して振れを小さくし（回転スリット板押し込みステップ）、再度、振れ幅を計測し、規格内に入っていなければ（判定ステップ）、一連の操作を繰り返すものとされている。
【特許文献１】特開２０００−０２８３９７号公報
【発明の開示】
【発明が解決しようとする課題】
【０００５】
上記第１の方法では、画像計測の精度や、回転軸形状の精度や軸自体の振れ回りなどが原因となって、求めた回転軸の中心と実際の回転中心とが一致しない場合があり、このような場合には、計測・位置決め精度を向上させても回転スリット板の振れが改善されないという問題があった。これに対し、上記第２の方法は、仮組みした状態で実際に回転スリット板を回転させ、その振れが小さくなるように位置調整するために、第１の方法より回転振れを小さくすることができる。しかしながら、第２の方法では、振れ最大変位位置を検出するために、画像上の位置計測で周回時に振れが最大変位となる位置を記録し、そこに再度到達したときを判定するものであることから、以下が原因となって精度が悪化するという問題があった。
【０００６】
i)振れの最大変位付近では画像上の位置変化が小さく、最大変位到達を判定する分解能が悪くなるため、誤差が大きくなる。
【０００７】
ii)前周回の最大変位値にわずかに到達しない場合があり、予め判定に適当な幅を持たせる必要があり、それによってばらつき・誤差が大きくなる。
【０００８】
iii)最大変位付近で振れの推移がふらつく現象が起こり、前記i)とii)とを合わせて、ピークが本当に必要な振れ最大変位と一致しない場合があり、誤検出となる。
【０００９】
また、第２の方法では、数μｍの規格内に振れを抑えるためには、振れ計測〜調整を繰り返す必要があり、トータルの組付け時間が長くなりやすいという問題もあった。
【００１０】
この発明の目的は、従来の方法で問題となっていた誤差および誤検出を解消し、組付け精度を向上させることができるロータリエンコーダの回転スリット板組付け方法および装置を提供することにある。
【課題を解決するための手段】
【００１１】
請求項１の発明によるロータリエンコーダの回転スリット板組付け方法は、回転スリット板を回転軸に偏心しないように組み付けるに際し、回転スリット板が仮置きされた仮組みロータリエンコーダを回転させて回転スリット板の振れの最大変位位置を求め、この最大変位位置が押し治具設置位置に来るように回転スリット板を停止させ、停止した回転スリット板を押し治具で径方向に押して振れを小さくし、これを繰り返すことで回転振れを規格値以下とするロータリエンコーダの回転スリット板組付け方法において、仮組みロータリエンコーダを少なくとも１周分回転させて振れおよび変位を計測するステップと、この少なくとも１周分の回転時に振れの最大変位を求めこれより若干小さい値を閾値として設定するステップと、仮組みロータリエンコーダをさらに１周分回転させて、この間に閾値を超える時間ΔＴを計測するステップと、仮組みロータリエンコーダをさらに回転させて、閾値を超えた後さらに時間ΔＴ／２経過した位置を最大変位位置とするステップとを含んでいることを特徴とするものである。
【００１２】
ロータリエンコーダは、例えば、ハウジングに１対の転がり軸受を介して支持された回転軸と、回転軸に固定された回転スリット板と、ハウジングに固定された固定スリット板と、回転スリット板を通過した発光素子からの光を受けて電気信号に変換する受光素子と、受光素子の電気信号を処理する回路が設けられた基板とからなるものとされる。
【００１３】
回転スリット板は、例えば、ガラスなどの透明な素材からなる円板に遮光部または透過部が所定ピッチで設けられたものとされる。回転スリット板の素材やスリットを形成する手段は種々変更可能である。
【００１４】
押し治具による回転スリット板の押し込み量は、各１回の調整毎に、振れ幅の１／２（ちょうど１／２またはほぼ１／２）となるように変更される。
【００１５】
仮組みは、例えば、回転板を回転軸に固定する手段として、紫外線硬化型の接着剤を使用することとし、接着剤の粘着力を利用して行うことができる。仮組みを行う方法は、これに限定されるものではなく、例えば、接着剤を使用せずに機械的に行うようにしてもよい。
【００１６】
上述した従来の第２の方法における回転スリット板組付け方法が、回転ステップ、振れ計測ステップ、最大変位位置検出ステップ、停止位置決定ステップ、回転スリット板停止ステップ、回転スリット板押し込みステップおよび判定ステップを含んでいるのに対し、この発明による回転スリット板組付け方法は、回転ステップ、振れ計測ステップ、回転スリット板停止ステップ、回転スリット板押し込みステップおよび判定ステップが従来と同じであり、従来の最大変位位置検出ステップおよび停止位置決定ステップ（以下では、２つのステップを合わせたものを「停止位置検出ステップ」と呼ぶことがある。）に代えて、閾値設定ステップと、閾値越え時間計測ステップおよび停止位置決定ステップ（３つのステップを合わせたものが「停止位置検出ステップ」となっている。）を有している。
【００１７】
回転スリット板の位置調整は、振れ計測ステップ、停止位置決定ステップ、回転スリット板押し込みステップなどによって行われるが、これらのステップのうち、計測ステップおよび回転スリット板押し込みステップにおける精度向上は、画像計測の精度を上げるなどで比較的容易に実現することができる。そして、本発明によると、画像計測の精度向上では達成することが難しい停止位置検出ステップにおける精度向上を果たすことができる。すなわち、本発明では、発明が解決しようとする課題に示した従来のi)、ii)およびiii)の問題点を解決するために、振れ変位最大位置を直接的に検出せず（従来の最大変位位置検出ステップをなくし）、振れ変位がピーク対称形の正弦波状繰り返し波形になることを利用して、振れ最大変位の検出を振れ位置による判定ではなく、時間による処理で行っている。具体的には、振れ変位の繰り返し波形上で、最大変位より若干小さめで変位が比較的安定に推移する位置を閾値とし、１周期のうち閾値以上の範囲で変位する時間ΔＴを計測すれば、次の周回でその範囲に到達したときからΔＴ／２経過したとき振れ最大位置に到達しているはずであることを利用しており、これにより、従来のi)、ii)およびiii)の問題は回避され、精度が向上し、調整の繰り返し回数を減らすことができる。
【００１８】
従来の第２の方法によると、振れ最大変位の画像上の位置と振れ幅を確定させるのに回転スリット板を１回転（少なくとも１回転）させ、次の周回で最大変位位置を検出しているので、振れ計測開始から最大変位位置検出までの時間は原理上（安全率を見込まない場合）、１周回強〜２周回弱（初期の偏心位相で異なる）相当になる。
【００１９】
請求項１の発明のロータリエンコーダの回転スリット板組付け方法では、有効な閾値を決定するために、最大変位と振れ幅を確定させるのに回転スリット板を１回転（少なくとも１回転）させるのは、従来と同じであるが、この後、閾値越えする時間ΔＴを計測し（ここまでで、１周回強〜２周回弱が必要）、さらに、次の周回でΔＴ／２を用いて回転を停止させる必要があり、結局、ΔＴを計測後にさらに１周分が必要となる分、振れ計測開始から最大変位位置検出までの時間は原理上、２周回強〜３周回弱（初期の偏心位相で異なる）相当になる。
【００２０】
したがって、請求項１の発明のロータリエンコーダの回転スリット板組付け方法は、調整の繰り返し回数を減らすことができるものの、最大変位に到達した位置の検出（停止位置検出ステップ）に要する時間が従来と比べて長くなり、全体としての時間短縮（スループットの向上）が十分でないという問題がある。
【００２１】
請求項２の発明によるロータリエンコーダの回転スリット板組付け方法は、この問題を解消することができるもので、回転スリット板を回転軸に偏心しないように組み付けるに際し、回転スリット板が仮置きされた仮組みロータリエンコーダを回転させて回転スリット板の振れの最大変位位置を求め、この最大変位位置が押し治具設置位置に来るように回転スリット板を停止させ、停止した回転スリット板を押し治具で振れ幅の１／２径方向に押して振れを小さくし、これを繰り返すことで回転振れを規格値以下とするロータリエンコーダの回転スリット板組付け方法において、仮組みロータリエンコーダを少なくとも１周分回転させて振れおよび変位を計測するステップと、この少なくとも１周分の回転時の時間と振れ変位との関係をサンプリングするステップと、サンプリングによって得られたデータから振れの最大変位を求め、これより若干小さい値を閾値として設定するとともに、閾値を超える時間ΔＴを演算するステップと、仮組みロータリエンコーダをさらに回転させ、閾値を超えた後さらに時間ΔＴ／２経過した位置を最大変位位置とするステップとを含んでいることを特徴とするものである。
【００２２】
請求項２の発明によるロータリエンコーダの回転スリット板組付け方法が第１の発明と相違している点は、振れ変位の計測中にその推移をサンプリングしていることで、これにより、閾値決定後に、直前の波形から閾値を越える時間ΔＴを算出することができる。したがって、第１の発明で必要であった閾値越え時間を求めるための１周分の回転を不要とすることができる。この後、第１の発明と同様に、仮組みロータリエンコーダをさらに回転させ、閾値を超えた後さらに時間ΔＴ／２経過した位置を最大変位位置とすることにより、精度向上効果が得られ、調整の繰り返し回数を減らすことができる。
【００２３】
請求項３の発明によるロータリエンコーダの回転スリット板組付け装置は、回転スリット板が回転軸に仮置きされた仮組みロータリエンコーダを支持する支持部材と、回転軸を回転させる回転手段と、回転スリット板を径方向に押し込むための回転スリット板押し治具と、回転スリット板押し治具を移動させる押し治具移動手段と、回転スリット板の一定範囲を撮像する撮像装置と、回転手段および押し治具移動手段を制御する制御手段と、撮像装置で得られた画像を処理して回転スリット板の振れ変位を求め、振れ変位のデータに応じて撮像装置および制御手段に必要な信号を適宜出力するＣＰＵとを備えているロータリエンコーダの回転スリット板組み付け装置において、振れの最大変位を求めこれより若干小さい値を閾値とするとともに閾値を超える時間ΔＴを求める閾値越え時間検出手段と、閾値を超えた後さらに時間ΔＴ／２経過した位置を停止位置とする停止位置決定手段とを備えていることを特徴とするものである。
【００２４】
請求項４の発明によるロータリエンコーダの回転スリット板組付け装置は、請求項３の発明によるロータリエンコーダの回転スリット板組付け装置において、仮組みロータリエンコーダを少なくとも１周分回転させた時の時間と振れ変位との関係をサンプリングするサンプリング手段をさらに備えており、閾値決定後に直前の波形から閾値を越える時間ΔＴが算出されるものである。
【００２５】
閾値越え時間検出手段、停止位置決定手段およびサンプリング手段は、いずれも、一連の操作を自動的に行うプログラムの一環として、ＣＰＵ（例えばパソコン）に内蔵される。
【００２６】
請求項３のロータリエンコーダの回転スリット板組み付け装置によると、上記請求項１の方法を容易に行うことができ、請求項４のロータリエンコーダの回転スリット板組み付け装置によると、上記請求項２の方法を容易に行うことができる。
【発明の効果】
【００２７】
請求項１および請求項２の発明のロータリエンコーダの回転スリット板組付け方法によると、回転軸に回転スリット板を仮置きして、実際に回転させながら回転振れが最小になるように位置調整する方法をベースにしているので、信頼性が高いものとなっており、しかも、この方法における問題である誤差および誤検出を解消することができるので、調整繰り返し回数を減少することができ、生産性を向上させることができる。しかも、この効果を得るために特殊な装置や複雑なアルゴリズムを必要としないので、低コストで生産性向上効果を得ることができる。
【００２８】
請求項１のものでは、精度向上によって振れ計測〜調整の繰り返し回数を少なくすることができるので、組付け時間を短縮することができるものの、１回の振れ計測〜調整にかかる時間は、閾値を超える時間を求める必要があることから、従来の方法に比べて増加し、これによって、組付け時間の減少量が小幅になってしまうのに対し、請求項２のものによると、１回の振れ計測〜調整にかかる時間を従来の方法と同じにすることができ、組付け時間の減少量したがって生産性の向上を大幅なものとすることができる。
【００２９】
請求項３および請求項４の発明のロータリエンコーダの回転スリット板組付け装置によると、回転軸に回転スリット板を仮置きして、実際に回転させながら回転振れが最小になるように位置調整する方法をベースにしているので、信頼性が高いものとなっており、しかも、この方法における問題である誤差および誤検出を解消することができるので、調整繰り返し回数を減少することができ、生産性を向上させることができる。しかも、この効果を得るために特殊な装置や複雑なアルゴリズムを必要としないので、低コストで生産性向上効果を得ることができる。
【００３０】
請求項３のものでは、精度向上によって振れ計測〜調整の繰り返し回数を少なくすることができるので、組付け時間を短縮することができるものの、１回の振れ計測〜調整にかかる時間は、閾値を超える時間を求める必要があることから、従来の方法に比べて増加し、これによって、組付け時間の減少量が小幅になってしまうのに対し、請求項４のものによると、１回の振れ計測〜調整にかかる時間を従来の方法と同じにすることができ、組付け時間の減少量したがって生産性の向上を大幅なものとすることができる。
【発明を実施するための最良の形態】
【００３１】
以下、図面を参照して、この発明の実施形態について説明する。
【００３２】
図１は、この発明のロータリエンコーダの回転スリット板組み付け装置を示している。
【００３３】
図１において、スリット(5a)付きのハウジング(5)に１対の転がり軸受(7)を介して中空回転軸(6)が支持されて形成されたスピンドルアッシー(3)に回転スリット板(4)を仮置きしたものが仮組みロータリエンコーダ(2)であり、ロータリエンコーダの回転スリット板組み付け装置(1)は、仮組みロータリエンコーダ(2)を支持するパレット（支持部材）(11)と、この仮組みロータリエンコーダ(2)の回転軸(6)を回転させるパルスモータ（回転手段）(12)と、パルスモータ(12)を駆動するモータドライバ(13)と、回転スリット板(4)を径方向に押し込むための回転スリット板押し治具(14)と、回転スリット板押し治具(14)を移動させる押し治具水平移動装置（押し治具移動手段）(15)と、押し治具水平移動装置(15)を駆動する押し治具ドライバ(16)と、パレット(11)に設けられた窓(11a)から回転スリット板(4)に臨まされて回転スリット板(4)の一定範囲(4a)を撮像するＣＣＤカメラ（撮像装置）(17)と、モータドライバ(13)および押し治具ドライバ(16)を制御するドライバ制御手段(18)と、ＣＣＤカメラ(17)で得られた画像を処理して回転スリット板(4)の振れ変位を作成するとともに、振れ変位のデータに応じてＣＣＤカメラ(17)およびドライバ制御手段(18)に必要な信号を適宜出力するパソコン（ＣＰＵ）(19)とを備えている。
【００３４】
上記において、ロータリエンコーダの回転スリット板組み付け装置(1)のハードウェア部分の構成は、従来と同じであり、その詳細な説明は省略する。
【００３５】
ドライバ制御手段(18)は、ＰＬＣ（プログラマブルロジックコントロール）(18a)およびパルスユニット(18b)を有しており、所定の順序で信号を供給することにより、モータドライバ(13)と押し治具ドライバ(16)とが連動するように制御している。
【００３６】
パソコン(19)には、ＣＣＤカメラ(17)によって得られた画像を処理して振れの変位を求めるプログラム（画像処理手段）、画像処理で得られた振れの変位から回転スリット板(4)の停止すべき位置を求めるプログラム（停止位置検出手段）などが設けられている。
【００３７】
回転スリット板(4)には、振れ計測用の真円パターン(4b)が設定されており、これと基準真円(S)を仮定した振れ幅の中心との差が振れの変位として求められる。なお、基準真円(S)の絶対位置は、ワークセッティング精度に依存し、最終的な基準真円(S)は、１周期経過後に決定される。パソコン(19)の表示装置には、ＣＣＤカメラ(17)で得られている画像すなわち現在の振れの変位ｄ（ｔ）と、１周分回転させたときの最大変位Ｄとが表示される。
【００３８】
ＣＣＤカメラ(17)からのデータを画像処理することによって得られる振れの変位のカーブは、正弦波に部分的に凹凸が付加されたようになっており、部分的に拡大した場合、例えば、図２に示すような形状となる。従来は、図２（ｂ）において、振れが最大変位となる位置が最大変位到達点とされている。そのため、上記i)からiii)までのように、誤差や誤検出が増加するという問題があった。これに対し、本願発明の方法では、図２（ａ）に示すように、振れ変位が閾値を越える時間がΔＴである場合に、ΔＴ／２経過したところが最大変位到達点とされている。すなわち、従来の「最大変位位置」は、最大変位となる位置そのもの（ミクロ的な最大変位位置）としていることから、誤差が大きいものとなっているのに対し、本願発明では「最大変位位置」が振れを正弦波で近似した場合のピーク位置（マクロ的な最大変位位置）とされており、これにより、精度が向上している。
【００３９】
この発明のロータリエンコーダの回転スリット板組付け方法における第１実施形態において、その停止位置検出ステップは、１周分の回転時に振れの最大変位を求めこれより若干小さい値を閾値として設定するステップ（閾値演算ステップ）と、仮組みロータリエンコーダ(2)をさらに１周分回転させて、この間に閾値を超える時間ΔＴを計測するステップ（閾値越え時間演算ステップ）と、仮組みロータリエンコーダ(2)をさらに回転させて、閾値を超えた後さらに時間ΔＴ／２経過した位置を停止位置（最大変位相当位置）とするステップ（停止位置決定ステップ）とを含んでいる。
【００４０】
すなわち、図３を参照して、まず、仮組みロータリエンコーダ(2)を１周分回転させ、この１周分の回転時に振れの最大変位を求めこれより若干小さい値を閾値として設定する（この段階では、ΔＴは求まっていない。）。次いで、仮組みロータリエンコーダ(2)をさらに１周分回転させて、この間に閾値を超える時間ΔＴを計測する。そして、仮組みロータリエンコーダ(2)をさらに回転させて、閾値を超えた後さらに時間ΔＴ／２経過した位置を最大変位位置として押し治具設置位置に停止させる。この後、押し治具(14)を振れの最大変位の１／２径方向に押し込むことにより、１回分の振れ調整作業が終了する。この後、最初のステップに戻り、振れの最大変位が規格値以下になっていなければ、次の振れ調整作業が行われる。最初のステップにおいて、最大変位が規格値以下になっている場合、調整作業完了と判定され、回転スリット板(4)が回転軸(6)に固定される。こうして、一連の振れ調整作業が自動的に行われて、回転スリット板(4)の組付け作業が終了する。
【００４１】
この発明のロータリエンコーダの回転スリット板組付け方法における第２の実施形態において、その停止位置演算ステップは、１周分の回転時の時間と振れ変位との関係をサンプリングするステップ（サンプリングステップ）と、サンプリングによって得られたデータから振れの最大変位を求め、これより若干小さい値を閾値として設定するとともに、閾値を超える時間ΔＴを演算するステップ（閾値越え時間算出ステップ）と、仮組みロータリエンコーダ(2)をさらに回転させ、閾値を超えた後さらに時間ΔＴ／２経過した位置を停止位置（最大変位相当位置）とするステップ（停止位置決定ステップ）とを含んでいる。
【００４２】
すなわち、図４を参照して、まず、仮組みロータリエンコーダ(2)を１周分回転させ、この１周分の回転時に振れの最大変位を求めこれより若干小さい値を閾値として設定する。ここで、第１実施形態と相違している点は、振れ変位の計測中にその推移をサンプリングしていることで、これにより、閾値決定後に、直前の波形から閾値を越える時間ΔＴを算出することができる。したがって、第１実施形態で必要であった閾値越え時間を求めるための１周分の回転を不要とすることができる。この後は、第１実施形態と同様にすればよく、仮組みロータリエンコーダをさらに回転させて、閾値を超えた後さらに時間ΔＴ／２経過した位置を最大変位位置として押し治具設置位置に停止させ、この後、押し治具(14)を振れの最大変位の１／２径方向に押し込むことにより、１回分の振れ調整作業が終了する。そして、振れ調整作業を繰り返して、最大変位が規格値以下になった場合、調整作業完了と判定され、回転スリット板(4)が回転軸(6)に固定される。こうして、一連の振れ調整作業が自動的に行われて、回転スリット板(4)の組付け作業が終了する。
【図面の簡単な説明】
【００４３】
【図１】図１は、この発明によるロータリエンコーダの回転スリット板組み付け装置を示すブロック図である。
【図２】図２は、この発明によるロータリエンコーダの回転スリット板組付け方法と従来の方法との相違点を説明する図である。
【図３】図３は、請求項１の発明によるロータリエンコーダの回転スリット板組付け方法における１回分の振れ補正時間を示す図である。
【図４】図４は、請求項２の発明によるロータリエンコーダの回転スリット板組付け方法における１回分の振れ補正時間を示す図である。
【符号の説明】
【００４４】
(2)     仮組みロータリエンコーダ
(4)     回転スリット板
(6)     回転軸
(11)    パレット（支持部材）
(12)    パルスモータ（回転手段）
(14)    回転スリット板押し治具
(15)    押し治具水平移動装置（押し治具移動手段）
(17)    ＣＣＤカメラ（撮像装置）
(18)    ドライバ制御手段（制御手段）
(19)    パソコン（ＣＰＵ）
【図１】
2007171106.tif 000003
【図２】
2007171106.tif 000004
【図３】
2007171106.tif 000005
【図４】
2007171106.tif 000006